(57)【要約】【課題】  リア投写用のミラーをプロジェクタ本体と一体に構成し、リア投写時も大画面で投写でき、小型で投写映像の品質を向上させたプロジェクタを提供する。【解決手段】  プロジェクタ本体２と移動可能に連接されると共に、プロジェクタ本体２の投写レンズ５９から投写される投写光を反射するミラー１２０を回動可能に有するミラー機構部１００を有し、ミラー機構部１００とプロジェクタ本体２とは、ミラー機構部１００にプロジェクタ本体２を収容すると共に投写光を直接投写させることが可能な第１の移動位置と、ミラー１２０を所定の位置に回動させ投写光をミラー１２０に反射させて投写させることが可能な第２の移動位置とに移動可能にプロジェクタ１を構成する。【選択図】      図３
2006259252.tif 000002
【特許請求の範囲】
【請求項１】
映像を投写するプロジェクタであって、
前記プロジェクタのプロジェクタ本体と移動可能に連接されると共に、前記プロジェクタ本体の投写レンズから投写される投写光を反射するミラーを回動可能に有するミラー機構部を有し、
前記ミラー機構部と前記プロジェクタ本体とは、前記ミラー機構部にプロジェクタ本体を収容すると共に前記投写光を直接投写させることが可能な第１の移動位置と、前記ミラーを所定の位置に回動させ前記投写光を前記ミラーに反射させて投写させることが可能な第２の移動位置とに移動可能に構成されていることを特徴とするプロジェクタ。
【請求項２】
請求項１に記載のプロジェクタであって、
前記ミラー機構部は、当該ミラー機構部の外装を構成するミラー保持筐体と、
前記ミラーを回動するミラー回動部と、
前記プロジェクタ本体を前記ミラー機構部に対して移動させる移動部と、
前記プロジェクタ本体を前記ミラー機構部に対して固定させる固定部とを有することを特徴とするプロジェクタ。
【請求項３】
請求項１に記載のプロジェクタであって、
前記ミラー機構部に前記プロジェクタ本体を収容させた場合、前記ミラーは、前記プロジェクタ本体の上面部に対向するように配設されることを特徴とするプロジェクタ。
【請求項４】
請求項２に記載のプロジェクタであって、
前記プロジェクタ本体からの前記投写光を前記ミラーに反射させて投写させる場合に、前記ミラー機構部は、前記ミラーに対して前記プロジェクタ本体からの前記投写光の投写角度が所定の角度となるように前記固定部により前記プロジェクタ本体を固定することを特徴とするプロジェクタ。
【請求項５】
請求項１〜請求項３のいずれか一項に記載のプロジェクタであって、
前記第２の移動位置に前記ミラー機構部と前記プロジェクタ本体とが移動した場合、前記プロジェクタは、前記ミラー機構部と前記プロジェクタ本体とにより支持される形態となることを特徴とするプロジェクタ。
【請求項６】
請求項１〜請求項５のいずれか一項に記載のプロジェクタであって、
前記ミラー機構部に対する前記プロジェクタ本体の位置を検出する位置検出部と、
前記位置検出部で検出した検出信号に基づいて、前記プロジェクタ本体からの投写光を前記ミラーに反射させて投写させる位置か、直接投写させる位置かを判断する位置判断部と、
前記位置判断部の判断結果に基づいて、投写する前記映像の向きを切替える映像方向切替部とを有することを特徴とするプロジェクタ。
【発明の詳細な説明】
【技術分野】
【０００１】
本発明は、映像をフロント投写とリア投写とに切替えて投写するプロジェクタに関する。
【背景技術】
【０００２】
プロジェクタには、プロジェクタ本体からの投写光を外部の投影面に直接拡大投写するフロント投写タイプのプロジェクタと、投影面をプロジェクタ本体に備えて、投写光を投影面に透過させて投写するリア投写タイプのプロジェクタとがある。
【０００３】
フロント投写タイプとリア投写タイプを切替えて投写するプロジェクタとしては、特許文献１に記載されるように、キャビネット本体に配設したスクリーン、反射鏡および回転台に載置したプロジェクタ本体により、回転扉を閉じた状態では、リアプロジェクションとして明るい部屋で見ることができ、かつ、回転扉を開ければ検出スイッチが作動し、それに連動する回転体の回転を伝達ベルトで伝達して回転台を１８０度回転させ、プロジェクタ本体の投写レンズ部を反対に向けさせる構成により、透過光線像を外部に備える大型スクリーンに投写して大画面映像として見ることができる液晶プロジェクション装置がある。
【０００４】
また、特許文献２に記載されるように、プロジェクタとしての使用状態をフロントタイプからリアタイプに切替える際に、使用者から単位操作により加えられた外力によって、内蔵スクリーンが結像位置に移動し、これに連動して自動的に、ミラーが反射位置に移動して画像光線を反射し、第１の投写方向に投写して結像位置の内蔵スクリーンに結像させる。そして、リアタイプからフロントタイプに切替える際に、使用者から単位操作により加えられた外力によって、内蔵スクリーンが収納位置に移動し、これに連動して自動的に、ミラーが非反射位置に移動して、ミラーに反射させずに第２の投写方向に投写する画像投写装置がある。
【０００５】
【特許文献１】特開平５−３００４５７号公報
【特許文献２】特開平９−２３６８７１号公報
【発明の開示】
【発明が解決しようとする課題】
【０００６】
しかしながら、特許文献１に記載される液晶プロジェクション装置の構成では、キャビネット本体に配設したスクリーンを投影面とするリア投写を主な目的としており、リア投写とフロント投写を切替えるための回転体や伝達ベルトを用いるために大掛かりな構成となり、プロジェクタも大型化してしまうという課題がある。
【０００７】
また、特許文献２に記載される画像投写装置の構成では、リア投写に切替えた場合、内蔵スクリーンに投写するために、大画面での投写を行うことができないという課題がある。また、リア投写時には、画像投写装置の蓋が開く構成であるため、装置内部に塵埃が入り、液晶パネルなどの光学系の構成部分に付着すると、投写レンズにより投写された映像の輝度の低下や投写された映像に塵埃の影が映るなどの課題がある。
【０００８】
本発明は、上記課題に鑑みてなされたものであり、リア投写用のミラーをプロジェクタ本体と一体に構成し、リア投写時も大画面で投写でき、小型で投写映像の品質を向上させたプロジェクタを提供することを目的とする。
【課題を解決するための手段】
【０００９】
上述した目的を達成するために、本発明は、プロジェクタであって、プロジェクタ本体と移動可能に連接されると共に、プロジェクタ本体の投写レンズから投写される投写光を反射するミラーを回動可能に有するミラー機構部を有し、ミラー機構部とプロジェクタ本体とは、ミラー機構部にプロジェクタ本体を収容すると共に投写光を直接投写させることが可能な第１の移動位置と、ミラーを所定の位置に回動させ投写光をミラーに反射させて投写させることが可能な第２の移動位置とに移動可能に構成されていることを特徴とする。
【００１０】
このようなプロジェクタによれば、ミラー機構部がプロジェクタ本体と連接されることにより一体に構成される。また、投写光を直接投写させるフロント投写の場合には、ミラー機構部にプロジェクタ本体を収容する第１の移動位置に移動させることにより、プロジェクタを小型化することができる。そして、投写光をミラーに反射させて投写させるリア投写の場合には、ミラーを所定の位置に回動させ、ミラー機構部とプロジェクタ本体とを第２の移動位置に移動させて投写を行うことにより、リア投写時も大画面で投写でき、併せて、プロジェクタ本体に塵埃が入ることはないため、投写映像の品質を従来に対して向上することができる。
【００１１】
なお、本発明において「フロント投写」とは、プロジェクタ本体が有する投写レンズから投写された投写光を、プロジェクタの外部の投影面に直接投写することを意味する。また、「リア投写」とは、プロジェクタ本体が有する投写レンズから投写された投写光を、ミラーに反射させることで、フロント投写の方向とは逆の方向の投影面に投写することを意味する。従って、特許文献１，２で説明したように、投影面をプロジェクタ本体に備えて、投写光を投影面に透過させて投写するリア投写タイプのプロジェクタとは構成が異なり、本発明のプロジェクタは、投影面をプロジェクタ本体に備えていない。しかし、本発明のリア投写の構成を用いて、透過可能な投影面に投写することにより、投写された映像を透過させて観ることは可能となる。
【００１２】
上記プロジェクタにおいて、ミラー機構部は、ミラー機構部の外装を構成するミラー保持筐体と、ミラーを回動するミラー回動部と、プロジェクタ本体をミラー機構部に対して移動させる移動部と、プロジェクタ本体をミラー機構部に対して固定させる固定部とを有することが好ましい。
【００１３】
このようなプロジェクタによれば、ミラー機構部は、ミラー保持筐体によりミラー機構部の外装を構成し、ミラー回動部でミラーを回動し、移動部によりプロジェクタ本体を移動させ、固定部によりプロジェクタ本体を固定することにより、投写光を直接投写させるフロント投写の場合には、ミラー機構部にプロジェクタ本体を収容する第１の移動位置に移動させ固定させることができ、プロジェクタを小型化することができる。そして、投写光をミラーに反射させて投写させるリア投写の場合には、ミラーを所定の位置に回動させ、ミラー機構部とプロジェクタ本体とを第２の移動位置に移動させ固定させることができ、リア投写時も大画面で投写でき、併せて、プロジェクタ本体に塵埃が入ることはないため、投写映像の品質を従来に対して向上することができる。
【００１４】
上記プロジェクタにおいて、ミラー機構部にプロジェクタ本体を収容させた場合、ミラーは、プロジェクタ本体の上面部に対向するように配設されることが好ましい。
【００１５】
このようなプロジェクタによれば、ミラーは、プロジェクタ本体の上面部に対向するように配設されるため、プロジェクタ本体からの投写光を過不足なく反射させるために必要なミラーの面積を確保することが可能となる。また、ミラーを外的な衝撃から保護することも可能となる。
【００１６】
上記プロジェクタにおいて、プロジェクタ本体からの投写光をミラーに反射させて投写させる場合に、ミラー機構部は、ミラーに対してプロジェクタ本体からの投写光の投写角度が所定の角度となるように固定部によりプロジェクタ本体を固定することが好ましい。
【００１７】
このようなプロジェクタによれば、プロジェクタ本体からの投写光をミラーに反射させて投写させるリア投写の場合には、ミラー機構部は、ミラーに対してプロジェクタ本体からの投写光の投写角度が所定の角度となるように固定部によりプロジェクタ本体を固定することにより、投写光をミラーに反射させて、投影面に拡大投写することができるため、プロジェクタ本体内部に設置される投写レンズをシフトすることなくリア投写を行うことができる。
【００１８】
上記プロジェクタにおいて、第２の移動位置にミラー機構部とプロジェクタ本体とが移動した場合、プロジェクタは、ミラー機構部とプロジェクタ本体とにより支持される形態となることが好ましい。
【００１９】
このようなプロジェクタによれば、プロジェクタ本体からの投写光が過不足なくミラーに反射させる形態に設定できる。また、ミラー機構部とプロジェクタ本体とにより支持される形態で、机上面などにプロジェクタを安定して載置することができるため、リア投写される投写映像も揺れること無く安定させることができる。
【００２０】
上記プロジェクタにおいて、ミラー機構部に対するプロジェクタ本体の位置を検出する位置検出部と、位置検出部で検出した検出信号に基づいて、プロジェクタ本体からの投写光をミラーに反射させて投写させる位置か、直接投写させる位置かを判断する位置判断部と、位置判断部の判断結果に基づいて、投写する映像の向きを切替える映像方向切替部とを有することが好ましい。
【００２１】
このようなプロジェクタによれば、プロジェクタ本体からの投写光をミラーに反射させて投写させるリア投写の位置と、直接投写させるフロント投写の位置とにより、投写する映像の向きを切替えるため、リア投写とフロント投写とで正常な向きの映像を投写することができる。よって、プロジェクタの利便性が向上する。
【発明を実施するための最良の形態】
【００２２】
以下、本発明の実施形態を図面に基づいて説明する。
（実施形態）
【００２３】
図１は、本発明の実施形態に係るプロジェクタの概略斜視図であり、図１（ａ）は、フロント投写の状態での斜視図であり、図１（ｂ）は、リア投写の状態での斜視図である。図１を用いて、プロジェクタ１の外観の構成を概略説明する。
【００２４】
プロジェクタ１において、プロジェクタ本体２の外観面である全６面に対し、上面部１ａ、前面部１ｂ、左側面部１ｃ、右側面部１ｄ、背面部１ｅ、底面部１ｆとして、構成を説明する。
【００２５】
図１に示すように、プロジェクタ１は、プロジェクタ本体２とミラー機構部１００とで構成される。また、プロジェクタ本体２とミラー機構部１００とは移動可能に連接されている。図１（ａ）に示すように、フロント投写時には、プロジェクタ本体２は、ミラー機構部１００に収容される状態となり、プロジェクタ１は、略直方体で殆ど凹凸のない外観面となる。なお、プロジェクタ本体２が、ミラー機構部１００に収容されてフロント投写する位置を第１の移動位置としている。
【００２６】
ミラー機構部１００の外装は、ミラー保持筐体１０５により構成される。ミラー保持筐体１０５は、ミラー１２０を内面側に保持するミラー保持ケース１１０と、前面ケース１４０と、下面ケース１５０とで構成される。また、下面ケース１５０は、右側面ケース１６０と、左側面ケース１７０と、下側面ケース１８０とで構成される。
【００２７】
また、ミラー保持ケース１１０と前面ケース１４０とは、２箇所のミラー回動部１３０により接続されており、ミラー保持ケース１１０は、前面ケース１４０に対して回動自在となる。なお、前面ケース１４０と下面ケース１５０とは、一体に構成される。
【００２８】
また、右側面ケース１６０と左側面ケース１７０との内面側には、固定部２００と移動部３００とがそれぞれ対向する位置に形成されている。また、左側面ケース１７０の内面側には、位置検出部４００が固定部２００の領域に併せて構成されている。
【００２９】
図１（ａ）に示すように、フロント投写時には、プロジェクタ本体２の上面部１ａを覆うようにミラー保持ケース１１０が位置する。このときミラー１２０は、ミラー保持ケース１１０に収容され、プロジェクタ本体２の上面部１ａに対向するように配設される。前面ケース１４０は、プロジェクタ本体２の前面部１ｂを覆い、右側面ケース１６０は、プロジェクタ本体２の右側面部１ｄを覆い、左側面ケース１７０は、プロジェクタ本体２の左側面部１ｃを覆い、下側面ケース１８０は、プロジェクタ本体２の底面部１ｆを覆うように位置する。なお、前面ケース１４０には、投写レンズユニット６０を突出させるための挿入孔１４１が形成され、フロント投写時には、挿入孔１４１を介して投写レンズユニット６０の先端部が突出し、プロジェクタ本体２がミラー機構部１００に収容される。詳細は後述する。
【００３０】
図１（ｂ）に示すように、リア投写時には、ミラー保持ケース１１０を回動させて開き、プロジェクタ本体２をミラー機構部１００の移動部３００に添って移動させて、所定の位置に固定する。そして、投写レンズからの投写光をミラー１２０に反射させて投影面に投写する。なお、本実施形態では、リア投写時におけるミラー機構部１００とプロジェクタ本体２との位置を第２の移動位置としている。詳細は後述する。
【００３１】
なお、プロジェクタ本体２は、プロジェクタ筐体１０により外装が構成されている。またプロジェクタ本体２の上面部１ａには、プロジェクタ本体２内部に備えるスピーカ３７（図２に図示）から出力される音を放音する放音孔１５が形成されている。また、背面部１ｅには、プロジェクタ１の動作を制御するために、リモートコントローラ（以降、リモコンと称する）５１０からの信号を受信するリモコン受光部１７が設けられている。また、外部の映像機器などと接続するためのインターフェース部１６が設けられている。
【００３２】
また、プロジェクタ筐体１０は、左側面部１ｃ、右側面部１ｄ及び底面部１ｆにおいて、ミラー機構部１００の下面ケース１５０の形状に対応させて凹部１１を形成して、プロジェクタ本体２をミラー機構部１００に収容した場合、プロジェクタ１の外観面に凹凸がなくなるように構成される。また、プロジェクタ筐体１０の左側面部１ｃと右側面部１ｄとの凹部１１には、右側面ケース１６０と左側面ケース１７０とに形成される固定部２００と移動部３００とに対応する固定部２００と移動部３００とが形成され、それぞれを協動させて動作させる。詳細は後述する。
【００３３】
図１に図示する二点鎖線は、投写レンズユニット６０から投写された投写光の方向のイメージを示している。
【００３４】
図２は、フロント投写時のプロジェクタの概略側面図、および、固定部と移動部と位置検出部との断面図であり、図２（ａ）は、プロジェクタの概略側面図であり、図２（ｂ）は、固定部および位置検出部の断面図であり、図２（ｃ）は、移動部の断面図である。図２を用いて、プロジェクタ１のフロント投写時の構成及び動作を説明する。なお、図２（ａ）は、プロジェクタ本体２内部での光学構成部５０および回路構成部も図示している。
【００３５】
図２（ａ）を用いて、光学構成部５０の構成を説明する。
本実施形態のプロジェクタ１は、光学系として発光源にＬＥＤ（Light Emitting Diode）光源５２を用いている。
【００３６】
光学構成部５０は、プロジェクタ１の光学系を構成する部分であり、光源５１と、光学変換部５４と、投写レンズ５９とを有して構成される。光源５１は、発光源としてのＬＥＤ光源５２と、集光レンズ５３とを有して構成される。光学変換部５４は、コリメータレンズ５７と、伸張レンズ５８と、変換部５５としての液晶ライトバルブ５６とを有して構成される。
【００３７】
光学構成部５０は、プロジェクタ本体２の略平面中央及び略断面中央に配設されている。背面部１ｅ側に光源５１を配設し、前方に光学変換部５４、投写レンズ５９の順番に配設され、前面部１ｂに投写レンズユニット６０が投写レンズ５９を保持固定して、投写レンズユニット６０の先端部が、プロジェクタ本体２から延出する。光学変換部５４は、光源５１の前方にコリメータレンズ５７、伸張レンズ５８、変換部５５としての液晶ライトバルブ５６の順番に配設される。光学構成部５０は、上述した配設順番で直線上に配設される。液晶ライトバルブ５６は、ライトバルブケーブル２４を有して後述する回路ユニット２０に接続される。
【００３８】
各構成部の動作を簡単に説明する。
集光レンズ５３は、ＬＥＤ光源５２で発光した光を前方に出射させる。コリメータレンズ５７は、光源５１から出射された光を平行光に変換して出射する。伸張レンズ５８は、コリメータレンズ５７から出射された平行光を液晶ライトバルブ５６の所定の入射光領域（図示省略）のサイズに合せて伸張して出射する。
【００３９】
液晶ライトバルブ５６は、本実施形態では、透過型カラー液晶パネルを用いており、ＬＣＤ（Liquid Crystal Display）駆動部３４の信号に基づいて駆動し、伸張レンズ５８から出射された光を変調して映像に変換する。なお、液晶ライトバルブ５６は、透過型液晶パネルに限定されることなく、反射型液晶パネルやデジタルマイクロミラーデバイス等を用いることもできる。
【００４０】
投写レンズ５９は、数種類のレンズから構成されており、液晶ライトバルブ５６により変調された映像を拡大して、プロジェクタ１の外部に出射する。
【００４１】
上述した光学構成部５０の構成及び動作により、プロジェクタ１は、プロジェクタ１の外部に設置したスクリーン５００（図６に図示）などの投影面に映像を拡大投写する。
【００４２】
図２（ａ）を用いて、回路ユニット２０の構成を簡単に説明する。
回路ユニット２０は、後述するプロジェクタ１の回路ブロックの各回路部を構成する素子を回路基板２１に実装したものである。そして、回路ユニット２０は、上面部１ａ側のプロジェクタ筐体１０の内面側の所定位置に収容され固定される。
【００４３】
回路ユニット２０は、回路基板２１をベースとして、各回路部を構成する素子であるＣＰＵ（Central Processing Unit）２２、電源コネクタ４１を構成するコネクタ（図示省略）、スピーカ３７、ライトバルブケーブル２４を接続するケーブルコネクタ２３などが実装される。その他の素子は図示を省略している。
【００４４】
図２を用いて、フロント投写時における固定部２００と移動部３００との構成および動作を説明する。
【００４５】
図２（ａ）に示すように、ミラー機構部１００の左側面ケース１７０のプロジェクタ本体２側の面には、プロジェクタ本体２をミラー機構部１００に対して固定するための固定部２００として、フロント投写時に使用するフロント用固定部２１０と、リア投写時に使用するリア用固定部２２０が形成される。また、左側面ケース１７０に相対するプロジェクタ筐体１０の外面には、フロント用およびリア用に共通で使用する固定部２００として固定用ユニット２３０が形成され、それぞれを協動させて動作させる。
【００４６】
また、ミラー機構部１００の左側面ケース１７０のプロジェクタ本体２側の面には、プロジェクタ本体２をミラー機構部１００に対して移動するための移動部３００として、スライド部３１０と、リア投写時に、プロジェクタ本体２をミラー機構部１００に対して所定の位置まで回動させるためのリア用回動部３３０とが形成される。また、左側面ケース１７０に相対するプロジェクタ筐体１０の外面には、移動部３００としてのスライド用突起３１５が形成され、それぞれを協動させて動作させる。
【００４７】
なお、ミラー機構部１００の右側面ケース１６０のプロジェクタ本体２側の面と、右側面ケース１６０に相対するプロジェクタ筐体１０の外面にも、左側面ケース１７０および左側面ケース１７０に相対するプロジェクタ筐体１０の外面に形成したと同様に、固定部２００および移動部３００が形成される。また、固定部２００および移動部３００の構成および動作は、左側面ケース１７０と右側面ケース１６０とは同様であるため、本明細書では、左側面ケース１７０での固定部２００および移動部３００の構成および動作を説明することとし、右側面ケース１６０における説明は省略する。
【００４８】
図２（ｂ）に示す図は、図２（ａ）でのＢ−Ｂ断面であり、フロント投写時のフロント用固定部２１０における拡大断面図である。図２（ｂ）を用いて、フロント用固定部２１０の構成および動作を説明する。
【００４９】
フロント投写時において、左側面ケース１７０のプロジェクタ本体２側の面には、半球面凹形状を成し、フロント用固定部２１０を構成するフロント固定用凹部２１１が形成されている。また、左側面ケース１７０に形成されたフロント固定用凹部２１１に相対するプロジェクタ筐体１０の外面には、円柱形状の凹部となる固定ユニット用溝１２が形成され、フロント用固定部２１０およびリア用固定部２２０を構成する固定用ユニット２３０が圧入されている。
【００５０】
固定用ユニット２３０は、固定用凸部２３５と、固定用バネ２３６と、固定用凸部２３５および固定用バネ２３６を収容する固定ケース２３７とを有して構成されている。固定ケース２３７は、円柱の中空形状で、一方の端面には円形の孔を有している。固定用凸部２３５は、一方は半球面凸形状を有し、他方は円板形状を有している。そして、固定用ユニット２３０は、詳細には、固定ケース２３７の円形の孔に固定用凸部２３５の半球面凸形状部分を突出させるように、固定用バネ２３６が、固定用凸部２３５の円板形状部を押圧した状態で収納された構成となっている。
【００５１】
フロント投写時には、固定用ユニット２３０から突出する固定用凸部２３５の半球面凸形状部分が、フロント固定用凹部２１１に入り込むことにより、プロジェクタ本体２がミラー機構部１００に固定される。これにより、フロント投写時の位置である第１の移動位置で、ミラー機構部１００にプロジェクタ本体２を収容して固定することができる。
【００５２】
なお、ミラー機構部１００に対してプロジェクタ本体２を、スライド部３１０を利用して移動させる場合には、固定用凸部２３５が固定用バネ２３６を押縮してフロント固定用凹部２１１の深さＤの距離を乗越える力でプロジェクタ本体２を移動させる必要がある。この力がフロント用固定部２１０の固定力に相当する。
【００５３】
図２（ｃ）に示す図は、図２（ａ）でのＣ−Ｃ断面であり、フロント投写時のスライド部３１０における拡大断面図である。図２（ｃ）を用いて、スライド部３１０の構成および動作を説明する。
【００５４】
左側面ケース１７０のプロジェクタ本体２側面には、断面コ字状の凹部を有し、前面ケース１４０と左側面ケース１７０との境からリア用回動部３３０に至る長さでスライド用溝３１２が形成されている。
【００５５】
そして、スライド用溝３１２に相対するプロジェクタ筐体１０の外面には、断面コ字状の凸部を有し、所定の長さのスライド用突起３１５が形成されている。そして、スライド用突起３１５は、スライド用溝３１２に沿って摺動可能に構成される。従って、プロジェクタ本体２は、ミラー機構部１００に対して移動（スライド）することが可能となる。
【００５６】
図２（ｂ）に示すように、フロント固定用凹部２１１には、後述するミラー機構部１００に対するプロジェクタ本体２の位置を検出する位置検出部４００としてのフロント位置検出部４１０が構成されている。図２（ｂ）を用いて、フロント位置検出部４１０の構成および動作を説明する。
【００５７】
フロント位置検出部４１０は、プッシュ型の検出スイッチであるマイクロスイッチ４１１と、それを実装すると同時にマイクロスイッチ４１１で検出した信号を位置判断部としての制御部３８（図６に図示）に送信するケーブルなどが実装された検出回路基板４１４とで構成される。なお、マイクロスイッチは、本実施形態で用いるマイクロスイッチ４１１とは異なる仕様のマイクロスイッチを適宜選択して用いることができる。
【００５８】
また、フロント位置検出部４１０は、フロント用固定部２１０を構成するフロント固定用凹部２１１に設けられている。フロント位置検出部４１０を固定するために、左側面ケース１７０の外面に形成されたフロント固定用凹部２１１の内面に突出させた検出回路固定用凸部１７２が形成されている。検出回路固定用凸部１７２は、内側にマイクロスイッチ４１１が収容できる空間となる検出回路用溝１７３を形成している。また、半球面凹形状を成すフロント固定用凹部２１１の最下点部分には、マイクロスイッチ４１１の可動軸４１２を挿入する軸挿入孔１７１が形成されている。
【００５９】
ここで、マイクロスイッチ４１１の可動軸４１２を軸挿入孔１７１に挿入することで、マイクロスイッチ４１１の本体４１３を検出回路用溝１７３に位置させて、検出回路基板４１４の肩を検出回路固定用凸部１７２の先端部に当接させることによりフロント位置検出部４１０が固定される。フロント位置検出部４１０を固定することにより、マイクロスイッチ４１１の可動軸４１２が、フロント固定用凹部２１１の内部に突出量Ｈを持って固定される。
【００６０】
そして、フロント投写時に、プロジェクタ本体２がフロント用固定部２１０によりミラー機構部１００に固定された場合、固定用ユニット２３０の固定用凸部２３５の半球面凸形状部分が、マイクロスイッチ４１１の可動軸４１２を押圧してマイクロスイッチ４１１の本体４１３側に突出量Ｈだけ押込むことになる。マイクロスイッチ４１１が動作するストロークに合せて可動軸４１２の突出量Ｈを設定しているため、マイクロスイッチ４１１はスイッチ入力として動作を行う。この場合、本実施形態では、マイクロスイッチ４１１の検出信号は「ＯＮ」となり、その信号が制御部３８に出力される。詳細は後述する。
【００６１】
図３は、リア投写時のプロジェクタの概略側面図、および、移動部の斜視図であり、図３（ａ）は、プロジェクタの概略側面図であり、図３（ｂ）は、移動部を構成するリア回動部をプロジェクタ本体側から見た斜視図である。図４は、図３（ａ）に示すＥ−Ｅ断面図である。図３、図４を用いて、プロジェクタ１のリア投写時の形態及び動作を説明する。
【００６２】
最初に、プロジェクタ本体２がミラー機構部１００に対して、フロント投写時の第１の移動位置からリア投写時の第２の移動位置に移動するまでの動作を説明する。なお、本実施形態では、ミラー機構部１００に対してプロジェクタ本体２を移動させることとして説明する。本発明では、プロジェクタ本体２に対してミラー機構部１００を移動させることも当然可能である。
【００６３】
ユーザは、フロント投写の状態で、ミラー保持ケース１１０を把持して、ミラー保持ケース１１０の回転が阻止されるまで前面ケース１４０に対して回転させる。この場合、ミラー保持ケース１１０は、ミラー回動部１３０により前面ケース１４０に対して回動する。そして、ミラー保持ケース１１０が前面ケース１４０の肩１４２に当接することで、ミラー保持ケース１１０の回転が阻止される。この結果、ミラー保持ケース１１０は前面ケース１４０に対して略平行となる。ミラー回動部１３０に関しては後述する。
【００６４】
次に、ユーザは、プロジェクタ本体２を把持して、ミラー保持筐体１０５に対して第２の移動位置の方向に引く。これにより、フロント用固定部２１０において、固定用ユニット２３０の固定用凸部２３５がフロント固定用凹部２１１の段差Ｄを乗越えることにより固定が解除される。そして、プロジェクタ本体２は、スライド部３１０のスライド用溝３１２をスライド用突起３１５が摺動できる状態となりスライド可能となる。
【００６５】
次に、ユーザは、プロジェクタ本体２を把持したまま、スライドが阻止される位置までプロジェクタ本体２をスライドさせる。これにより、スライド用突起３１５は、リア用回動部３３０の位置までスライドした状態となる。リア用回動部３３０に関しては後述する。
【００６６】
次に、ユーザは、その位置で、プロジェクタ本体２をミラー機構部１００に対して回転させる。これにより、プロジェクタ本体２のスライド用突起３１５はリア用回動部３３０を中心に回転する。ユーザは、プロジェクタ本体２を回転させ、プロジェクタ本体２の回転が阻止される角度まで回転させる。この場合、プロジェクタ本体２の回転角度が所定の角度になると、リア用固定部２２０により、プロジェクタ本体２の回転が阻止されて、プロジェクタ本体２は、ミラー機構部１００に対して固定される。
【００６７】
なお、リア用固定部２２０によりプロジェクタ本体２の回転が阻止された位置が、リア投写時の位置（第２の移動位置）である。この状態で、プロジェクタ本体２およびミラー機構部１００を机上面６００に載置することにより、リア投写が可能な状態となる。その状態が、図３（ａ）で示す図である。
【００６８】
図３（ａ）に示すように、リア投写時のプロジェクタ１は、ミラー機構部１００の前面ケース１４０とプロジェクタ本体２の双方のコーナー部を支持部として机上面６００に載置される形態となる。このとき、ミラー機構部１００とプロジェクタ本体２との連接部となるリア用固定部２２０およびリア用回動部３３０を含む双方の領域は、机上面６００から浮いた状態となる。
【００６９】
リア投写時には、上述したように、プロジェクタ本体２の前面部１ｂがミラー機構部１００により、持ち上がる状態となる。また、ミラー機構部１００もプロジェクタ本体２に対して角度を持つ。それにより、プロジェクタ本体２とミラー機構部１００との協動により、投写レンズユニット６０から投写される投写光の投写角度とミラー１２０に反射する反射角度が所定の角度に設定される。その結果、プロジェクタ本体２の投写レンズユニット６０から投写された投写光が、過不足なくミラー１２０に反射することが可能となる。それにより、プロジェクタ１は、プロジェクタ本体２の背面部１ｅの方向に設置された投影面に映像を拡大投写させることができる。図３（ａ）に図示する二点鎖線は、投写レンズユニット６０から投写された投写光の方向のイメージを示している。
【００７０】
図３（ｂ）に示す図は、移動部３００を構成するリア用回動部３３０をプロジェクタ本体２側から見た斜視図である。また、スライド用突起３１５（二点鎖線で図示）がスライド用溝３１２をスライドして、スライド用溝端部３１３に当接することにより、スライド用突起３１５のスライドが阻止された状態の図である。
【００７１】
スライド部３１０は、リア用回動部３３０と接続されている。リア用回動部３３０は、リア用回動ユニット３３２とリア回動逃げ溝３３７とで構成される。リア回動逃げ溝３３７は、左側面ケース１７０のスライド部３１０を構成するスライド用溝３１２の深さと同一の深さで概円柱形状に溝が形成されてスライド用溝３１２に接続されている。
【００７２】
リア用回動ユニット３３２は、回動シャフト３３３と、回動シャフト３３３および駆動系を収容する回動ユニットケース３３４とを有して構成されている。また、リア用回動ユニット３３２は、リア回動逃げ溝３３７の概中心で、リア回動逃げ溝３３７に形成するリア用回動ユニット固定孔（図示省略）に回動ユニットケース３３４を圧入して固定される。回動シャフト３３３は、回動ユニットケース３３４から、リア回動逃げ溝３３７の空間に円柱形状で突出している。また、円柱形状を成す回動シャフト３３３は、スライド用突起３１５の幅より若干大きい幅を有するスリット状の凹形状となるスライド突起用溝３３８が形成される。また、回動シャフト３３３は、リア用回動ユニット３３２の回動軸３３５を中心に回動し、任意の角度で所定の固定力を保持して固定される。
【００７３】
上述したリア用回動部３３０の構成により、スライド用突起３１５は、スライド用溝３１２をスライドし、回動シャフト３３３に形成したスライド突起用溝３３８をスライドして、リア回動逃げ溝３３７のスライド用溝３１２方向に対応した面となるスライド用溝端部３１３に当接すると、スライドが阻止される。そのとき、スライド用突起３１５は、回動シャフト３３３に形成したスライド突起用溝３３８内に収容された状態と成っている。また、スライド用突起３１５は、全体がリア回動逃げ溝３３７の内部に位置した状態となっている。
【００７４】
この状態で、プロジェクタ本体２をミラー機構部１００に対して回転させると、スライド用突起３１５は、スライド突起用溝３３８の側面となるスライド用突起受面３３８ａを押圧することにより、回動シャフト３３３を、回動軸３３５を中心として回転させる。また、スライド用突起３１５は、リア回動逃げ溝３３７内を移動する（図中の矢印方向）。
【００７５】
上記回転により、プロジェクタ本体２の回動は、所定の角度に達すると左側面ケース１７０に形成するリア用固定部２２０により阻止される。その結果、プロジェクタ本体２は、ミラー機構部１００に対して固定される。
【００７６】
図４に示す図は、プロジェクタ本体２の回動が、リア用固定部２２０により阻止されて、ミラー機構部１００に対して固定された状態（リア投写時の状態）での、リア用回動部３３０と、リア用固定部２２０およびリア位置検出部４２０との断面（図３（ａ）に示すＥ−Ｅ断面）を示している。図４を用いて、各部の構成および動作を説明する。
【００７７】
リア用回動部３３０においては、上述したように、スライド用突起３１５が回動シャフト３３３のスライド突起用溝３３８に挟まれた状態で固定されている。
【００７８】
リア用固定部２２０として、フロント用固定部２１０と同様に、左側面ケース１７０のプロジェクタ本体２側の面には、半球面凹形状を成すリア固定用凹部２２１が形成されている。また、リア固定用凹部２２１に相対する位置には、フロント用固定部２１０において使用した固定用ユニット２３０が位置している。そして、固定用ユニット２３０から突出する固定用凸部２３５の半球面凸形状部分が、リア固定用凹部２２１に入り込むことにより、プロジェクタ本体２がミラー機構部１００に固定される。これにより、リア投写時の位置である第２の移動位置において、プロジェクタ本体２がミラー機構部１００に固定される。
【００７９】
なお、リア投写時の位置である第２の移動位置から、フロント投写時の位置である第１の移動位置に、ミラー機構部１００とプロジェクタ本体２とを移動させる場合は、ミラー機構部１００に対してプロジェクタ本体２を上述した場合とは逆の手順で動作を行うことにより移動させることが可能となる。
【００８０】
リア位置検出部４２０は、フロント位置検出部４１０と同様に、フロント固定用凹部２１１に構成されている。従って、リア位置検出部４２０を構成する検出スイッチであるマイクロスイッチ４２１（本体４２３、可動軸４２２）、検出回路基板４２４は、フロント位置検出部４１０を構成する検出スイッチであるマイクロスイッチ４１１（本体４１３、可動軸４１２）、検出回路基板４１４と同様の仕様である。また、リア位置検出部４２０を固定するための、軸挿入孔１７４、検出回路固定用凸部１７５および検出回路用溝１７６も、フロント位置検出部４１０を固定するための、軸挿入孔１７１、検出回路固定用凸部１７２および検出回路用溝１７３と同様に形成されて、リア位置検出部４２０を同様に固定する。
【００８１】
フロント位置検出部４１０を検出回路固定用凸部１７５の先端部に当接させることにより固定することで、マイクロスイッチ４２１の可動軸４２２が、リア固定用凹部２２１の内部に同様に突出量Ｈを持って固定される。
【００８２】
そして、リア投写時に、プロジェクタ本体２がリア用固定部２２０によりミラー機構部１００に固定された場合、固定用ユニット２３０の固定用凸部２３５の半球面凸形状部分が、マイクロスイッチ４２１の可動軸４２２を押圧してマイクロスイッチ４２１の本体４２３側に突出量Ｈだけ押込む。それにより、マイクロスイッチ４２１はフロント位置検出部４１０のマイクロスイッチ４１１と同様に、スイッチ入力として動作を行う。この場合、マイクロスイッチ４２１の検出信号は「ＯＮ」となり、その信号が制御部３８に出力される。詳細は後述する。
【００８３】
図５は、ミラー回動部を示す斜視図である。図５を用いてミラー回動部１３０の構成および動作を説明する。
【００８４】
図５に示すように、ミラー回動部１３０は、ミラー機構部１００の前面ケース１４０に対してミラー保持ケース１１０を回動させるための機構であり、左右に２箇所構成される。なお、図５に示すミラー回動部１３０は、図１（ｂ）のＡ部の拡大図でもあり、左側に構成されるミラー回動部１３０を示している。右側に構成されるミラー回動部は左側のミラー回動部１３０と対象に構成され動作は同様のため、左側のミラー回動部１３０の構成および動作を説明する。
【００８５】
ミラー回動部１３０は、ミラー回動ユニット１３２で構成されている。ミラー回動ユニット１３２は、ミラー保持ケース固定用シャフト１３３と、ミラー保持ケース固定用シャフト１３３および駆動部を収納する前面ケース固定用ブラケット１３４とを有して構成される。前面ケース固定用ブラケット１３４は、ミラー保持ケース固定用シャフト１３３の駆動部を収納する円柱形状のブラケット胴部１３４ａと、ブラケット胴部１３４ａに接続するフラット面を有するブラケットフラット部１３４ｂとを有して構成される。
【００８６】
ブラケットフラット部１３４ｂの平面には２箇所のネジ孔を形成している。また、ミラー保持ケース固定用シャフト１３３は、ブラケット胴部１３４ａから突出する概直方体形状の平面に２箇所のネジ孔を形成している。ミラー保持ケース固定用シャフト１３３は、前面ケース固定用ブラケット１３４に対して、回動軸１３５を中心に回動し、任意の角度で所定の固定力を保持して固定される。
【００８７】
また、ミラー回動ユニット１３２は、ミラー保持ケース１１０に形成する溝１１１にブラケット胴部１３４ａが収容され、同じくミラー保持ケース１１０に形成する溝１１２にミラー保持ケース固定用シャフト１３３が収容され、ネジ１３７によりミラー保持ケース１１０に固定される。また、ブラケットフラット部１３４ｂは、前面ケース１４０に形成する溝１４３に収容されて、ネジ１３８により前面ケース１４０に固定される。
【００８８】
上述した構成により、ミラー回動ユニット１３２は、前面ケース１４０に対してミラー保持ケース１１０を接続し、回動自在にミラー保持ケース１１０を固定することができる。そして、ミラー保持ケース１１０は、フロント投写時におけるプロジェクタ本体２の上面部１ａを覆う状態（前面ケース１４０に対して概９０度の角度を成す状態）から、回動して、前面ケース１４０の肩１４２に当接して回動が阻止され、前面ケース１４０と概平行となる状態（前面ケース１４０に対して概１８０度の角度を成す状態）まで回動する。前面ケース１４０に対してミラー保持ケース１１０が概平行となる状態を図５は示している。
【００８９】
なお、本実施形態では、ミラー回動ユニット１３２は、ミラー保持ケース１１０に形成する溝１１１，１１２と、前面ケース１４０に形成する溝１４３に収容される。また、各溝１１１，１１２，１４３は、蓋により覆われる。従って、ミラー回動ユニット１３２は、外観上、視認不可能と成っている。
【００９０】
図６は、プロジェクタの回路ブロック図である。図６を用いて、プロジェクタ１の回路構成及び動作を説明する。
【００９１】
プロジェクタ１は、パソコン（パーソナルコンピュータ）５３０と無線により接続される。そして、プロジェクタ１は、アンテナ３０、通信部３１、信号変換部３２、画像処理部３３、ＬＣＤ（Liquid Crystal Display）駆動部３４、光学構成部５０、ＬＥＤ（Light Emitting Diode）制御部３９、音声処理部３５、増幅部３６、スピーカ３７、位置検出部４００、リモコン５１０の信号を受信するリモコン信号受信部４０、電源コネクタ４１及びプロジェクタ１の動作全体を統括制御する制御部３８などを有して構成される。なお、パソコン５３０は、無線ではなくＵＳＢ（Universal Serial Bus）ケーブル等を用いて有線で接続されても良い。また、プロジェクタ１は、パソコン５３０だけでなく、例えば、ＤＶＤ（Digital Versatile Disk）プレイヤーなどの各種映像機器とも接続される。その場合は、プロジェクタ本体２に設けられているインターフェース部１６を介して接続される。
【００９２】
プロジェクタ１の各回路部の動作を簡単に説明する。
プロジェクタ１は、アンテナ３０及び通信部３１により、パソコン５３０からの符号化された画像データ（静止画像データ及び動画像データ）や音声データなどを受信する。受信した画像データや音声データは、信号変換部３２により複合化され、画像データは、画像処理部３３に出力され、音声データは、音声処理部３５に出力される。
【００９３】
画像処理部３３は、信号変換部３２から入力した画像データに、フレームレート変換およびスケーリング処理などを行う。また、画像処理部３３は、画像データにブライトネス調整、コントラスト調整、ガンマ補正処理などの各種の画像補正も併せて行う。このように加工された画像データは、投写用映像信号としてＬＣＤ駆動部３４に出力される。ＬＣＤ駆動部３４は、画像処理部３３から入力した投写用映像信号に基づき、液晶ライトバルブ５６を駆動する。
【００９４】
音声処理部３５は、信号変換部３２から入力したデジタル信号である音声データを、アナログ信号に変換し、増幅部３６により増幅し、スピーカ３７により音声として放音孔１５を介して放音する。
【００９５】
ＬＥＤ制御部３９は、制御部３８の信号に基づいて、ＬＥＤ光源５２の輝度調光を行う。具体的には、画像のシーンに対応させて、ＬＥＤ光源５２を駆動する駆動周波数やデューティー比を変化させている。これにより、明るいシーンでは、駆動周波数を上げるまたはデューティー比の「ＯＮ」時間を長くすることにより、ＬＥＤ光源５２を明るく発光させる。また、暗いシーンでは、逆に、駆動周波数を下げるまたはデューティー比の「ＯＮ」時間を短くすることにより、ＬＥＤ光源５２の発光を抑えて暗くさせる制御を行う。なお、ＬＥＤ光源５２は、白色光（すべての色の光を含む）を発光させる。
【００９６】
リモコン信号受信部４０は、リモコン５１０から送信された信号をリモコン受光部１７（図１に図示）を介して受信し、制御部３８に出力する。なお、リモコン５１０は、赤外線を用いた通信を行っている。
【００９７】
制御部３８は、光学構成部５０や回路構成部としての回路ユニット２０を含め、プロジェクタ１の動作全体を統括制御している。
【００９８】
プロジェクタ１を駆動するための電力は、プロジェクタ１とは別に備える電源アダプタ（図示省略）を介して供給される。それにより、電源コネクタ４１を備えて、電源アダプタが有するプラグ５２０と接続される。
【００９９】
位置検出部４００における動作を説明する。
位置検出部４００は、上述したように、フロント位置検出部４１０とリア位置検出部４２０とで構成されて、ミラー機構部１００に対するプロジェクタ本体２の位置を検出している。
【０１００】
フロント位置検出部４１０およびリア位置検出部４２０からの検出信号は、制御部３８にケーブルを介して出力される。制御部３８は、入力した検出信号に対して、フロント位置検出部４１０からの入力信号か、リア位置検出部４２０からの入力信号かを判断する位置判断部としての機能を備えている。そして、位置判断部の判断結果に基づいて、フロント位置検出部４１０からの入力信号である場合には、フロント投写に対応する投写映像の向きに切替えるための信号を画像処理部３３に出力する。また、リア位置検出部４２０からの入力信号である場合には、リア投写に対応する投写映像の向きに切替えるための信号を画像処理部３３に出力する。
【０１０１】
画像処理部３３は、位置判断部としての制御部３８からの入力信号に基づいて、投写する映像の向きを切替える映像方向切替部としての機能を備えている。従って、制御部３８からフロント投写に対応する投写映像の向きに切替えるための信号が入力した場合には、画像処理部３３は、フロント投写時に投写映像が正常な向きとなる映像に切替えた画像データを、投写用映像信号としてＬＣＤ駆動部３４に出力する。また、制御部３８からリア投写に対応する投写映像の向きに切替えるための信号が入力した場合には、画像処理部３３は、リア投写時に投写映像が正常な向きとなる映像に切替えた画像データを、投写用映像信号としてＬＣＤ駆動部３４に出力する。
【０１０２】
そして、ＬＣＤ駆動部３４は、画像処理部３３から入力した投写用映像信号に基づき、液晶ライトバルブ５６を駆動する。これにより、投写レンズユニット６０は、切替えた映像を投影面に投写する。その結果、ユーザは、フロント投写時およびリア投写時において、正常な向きの投写映像を観ることが可能となる。
【０１０３】
詳細には、プロジェクタ本体２が第１の移動位置に位置した場合（フロント投写の位置）、フロント位置検出部４１０としてのマイクロスイッチ４１１が固定用ユニット２３０の固定用凸部２３５により押圧され、マイクロスイッチ４１１の検出信号は「ＯＦＦ」から「ＯＮ」となり、その信号が制御部３８に出力される。また、同様に、プロジェクタ本体２が第２の移動位置に位置した場合（リア投写の位置）、リア位置検出部４２０としてのマイクロスイッチ４２１が固定用ユニット２３０の固定用凸部２３５により押圧され、マイクロスイッチ４２１の検出信号は「ＯＦＦ」から「ＯＮ」となり、その信号が制御部３８に出力される。制御部３８は、フロント位置検出部４１０およびリア位置検出部４２０からの「ＯＦＦ」から「ＯＮ」に変化した信号を受取り、上述した処理を行っている。
【０１０４】
なお、制御部３８は、フロント位置検出部４１０およびリア位置検出部４２０からの入力信号が「ＯＦＦ」の場合には、光源５１を非点灯とする信号をＬＥＤ制御部に出力する。その信号をＬＥＤ制御部が受取ると、光源５１を非点灯とする。また、入力信号が「ＯＮ」の場合には、光源５１を点灯する信号をＬＥＤ制御部に出力する。その信号をＬＥＤ制御部３９が受取ると、光源５１を点灯させている。
【０１０５】
よって、プロジェクタ本体２がミラー機構部１００を移動途中の場合には、フロント位置検出部４１０およびリア位置検出部４２０の出力信号は「ＯＦＦ」、光源５１は非点灯となり、プロジェクタ本体２は映像を投写しない。これにより、プロジェクタ本体２がミラー機構部１００を移動途中においては、投写光を他のユーザに投写することなどの不具合を防止すると共に、省エネルギーにも寄与させている。
【０１０６】
なお、上記において、第１の移動位置と第２の移動位置とに移動させる場合、ミラー機構部１００に対してプロジェクタ本体２を移動させることとして説明を行っているが、プロジェクタ本体２に対してミラー機構部１００を移動させることでも当然良い。
【０１０７】
上述した、実施形態によれば以下の効果が得られる。
（１）本実施形態によれば、プロジェクタ１を構成するプロジェクタ本体２とミラー機構部１００とは、移動部３００により移動可能に連接されている。また、投写光を直接投写させることが可能な第１の移動位置（フロント投写の位置）と、ミラー１２０を所定の位置に回動させ、投写光をミラー１２０に反射させて投写させることが可能な第２の移動位置（リア投写の位置）とに移動可能に構成されている。そして、第１の移動位置と第２の移動位置との間を移動部３００により移動することができる。また、第１の移動位置と第２の移動位置とで固定部２００によりプロジェクタ本体２とミラー機構部１００とを固定することができる。
【０１０８】
それにより、ミラー機構部１００にプロジェクタ本体２を収容する第１の移動位置に移動させ固定させることでプロジェクタを小型化すると共に、フロント投写を行うことができる。また、第２の移動位置に移動させ固定させることで、リア投写を行うことができる。リア投写時も大画面で投写でき、併せて、プロジェクタ本体２の内部に塵埃が入ることはないため、投写映像の品質を従来に対して向上することができる。
【０１０９】
また、このような構成を用いた場合、プロジェクタ本体２からの投写光の投写角度と、ミラー１２０での反射角度とを設計段階で設定することができるため、リア投写時において、ユーザに視認し易い高さに映像を投写させることができる。それにより、プロジェクタ１と投影面との距離は、フロント投写でリア投写と同じ高さに投写させるのに必要な距離と比べて、短縮することが可能となる。そのため、狭いスペースでの投写にも適しており、プロジェクタ１の利便性が向上する。
【０１１０】
（２）本実施形態によれば、フロント投写時には、プロジェクタ本体２の上面部１ａを覆うようにミラー保持ケース１１０が位置し、このとき、ミラー１２０は、ミラー保持ケース１１０に収容され、プロジェクタ本体２の上面部１ａに対向するように配設される。また、ミラー１２０の面積はミラー保持ケース１１０と同程度の面積である。これにより、プロジェクタ本体２からの投写光を過不足なく反射させるために必要なミラー１２０の面積を確保することが可能となる。また、ミラー１２０を外的な衝撃から保護することも可能となる。
【０１１１】
また、ミラー１２０は、プロジェクタ本体２の上面部１ａに対向するように配設されるために、ミラー１２０の面積は、プロジェクタ本体２の外形形状の大きさや、投写レンズ５９の位置や、投写光の広がりなどとの兼ね合いにより、上面部１ａの平面の領域内で、自由に可変して設定することができる。その結果、ミラー１２０の面積の設定における設計の自由度が拡大する。
【０１１２】
（３）本実施形態によれば、リア投写時には、ミラー機構部１００は、ミラー１２０に対してプロジェクタ本体２からの投写光の投写角度が所定の角度となるように固定部２００によりプロジェクタ本体２を固定している。そのため、プロジェクタ本体２内部に設置される投写レンズ５９をシフトする必要が無く、リア投写を行うことができる。それにより、プロジェクタ１の利便性が向上する。
【０１１３】
（４）本実施形態によれば、第２の移動位置にミラー機構部１００とプロジェクタ本体２とが移動した場合、プロジェクタ１は、ミラー機構部１００とプロジェクタ本体２とにより支持されて、机上面６００に載置される形態となる。そのため、プロジェクタ１は、プロジェクタ本体２からの投写光が過不足なくミラー１２０に反射させる形態に設定できる。また、ミラー機構部１００とプロジェクタ本体２とにより支持される形態で、机上面６００などにプロジェクタ１を安定して載置することができるため、リア投写される投写映像も揺れること無く安定させることができる。
【０１１４】
（５）本実施形態によれば、ミラー機構部１００に対するプロジェクタ本体２の位置を検出する位置検出部４００を有している。また、位置検出部４００で検出した検出信号に基づいて、プロジェクタ本体２からの投写光をミラー１２０に反射させて投写させる位置か、直接投写させる位置かを判断する位置判断部としての制御部３８を有している。そして、位置判断部の判断結果に基づいて、投写する映像の向きを切替える映像方向切替部としての画像処理部３３を有している。それにより、プロジェクタ本体２からの投写光をミラー１２０に反射させて投写させるリア投写の位置（第２の移動位置）と、直接投写させるフロント投写の位置（第１の移動位置）とにより、投写する映像の向きを切替えるため、リア投写とフロント投写とで正常な向きの映像を投写することができる。よって、プロジェクタの利便性が向上する。
【０１１５】
なお、本発明は、上述した実施形態に限定されず、種々の変更や改良など加えることが可能である。変形例を以下に述べる。
【０１１６】
（変形例１）前記実施形態において、リア投写時にミラー１２０を収容するミラー保持ケース１１０は、ミラー回動部１３０により回動させて、前面ケース１４０の肩１４２に当接させて回動を規制することにより、前面ケース１４０に略平行とさせている。しかし、これに限らず、前面ケース１４０の肩１４２を無くすことにより、ミラー保持ケース１１０を前面ケース１４０に対して更に回動可能としても良い。これにより、リア投写時における投写レンズユニット６０（投写レンズ５９）からの投写角度とミラー１２０での反射角度の角度設定での自由度が拡大する。また、ミラー１２０からの反射光を投影する場合の投影高さを調整することができる。
【０１１７】
（変形例２）前記実施形態において、ミラー１２０は、リア投写時には、ミラー回動部１３０により前面ケース１４０に平行となるように回動させている。しかし、これに限らず、ミラー１２０またはミラー１２０を収容するミラー保持ケース１１０と共に、回動後に前面ケース１４０に対して平行にスライドさせることにより移動させて、リア投写を行っても良い。
【０１１８】
この場合、ミラー１２０のみをスライドさせる場合は、ミラー保持ケース１１０内にスライド機構を配設することで可能となる。また、ミラー保持ケース１１０と共にスライドする場合には、前面ケース１４０に対してスライドさせるスライド機構を配設することにより可能となる。これにより、リア投写時における投写レンズユニット６０からの投写角度とミラー１２０での反射角度の角度設定での自由度が拡大する。また、ミラー１２０からの反射光を投影する場合の投影高さを調整することができる。
【０１１９】
（変形例３）前記実施形態において、ミラー１２０を収容するミラー保持ケース１１０は、ミラー回動部１３０により前面ケース１４０に対して回動させている。また、この回動により、前面ケース１４０に対して平行となる。そして、リア投写時には、プロジェクタ本体２の真後ろに投写される。しかし、これに限らず、ミラー保持ケース１１０を前面ケース１４０に対して平行になるように回動した後、前面ケース１４０に対して、左右に回動させることでも良い。
【０１２０】
この場合、ミラー回動ユニット１３２の他に、左右に回動させるための回動ユニットをミラー保持ケース１１０と前面ケース１４０との間に設置することにより可能となる。これにより、リア投写時において、プロジェクタ本体２の真後ろに投写できるだけでなく、左右に角度を変化させて投写することが可能と成り、プロジェクタ１の利便性が更に向上する。
【０１２１】
（変形例４）前記実施形態において、ミラー保持ケース１１０に収容されるミラー１２０の面積は、ミラー保持ケース１１０と同程度の面積であり、リア投写時には、投写レンズユニット６０からの投写光を過不足なく反射させている。しかし、これに限らず、ミラー１２０の面積は、プロジェクタ本体の外形形状や、投写レンズの位置などにより適宜可変することで良い。これにより、プロジェクタに対応させた効率的なミラーの面積を実現できる。
【０１２２】
（変形例５）前記実施形態において、位置検出部４００を構成するフロント位置検出部４１０およびリア位置検出部４２０は、左側面ケース１７０にのみ構成されている。しかし、これに限らず、左側面ケース１７０と右側面ケース１６０との双方に構成しても良い。この場合、第１の移動位置と第２の移動位置とにおいて、ほぼ同時に検出信号が出力されることになり、位置検出部４００でのチャタリングなどを考慮した許容時間内に制御部３８が検出信号を入力した場合に、映像方向切替部（画像処理部３３）に映像方向を切替える信号を出力する仕様とすることができる。これにより、例えばプロジェクタ１の落下などにより、プロジェクタ本体２またはミラー機構部１００が歪んでしまうことにより、適正なフロント投写およびリア投写が行えなくなった場合などの不具合に対しての検出手段として用いることもでき、プロジェクタ１の動作の信頼性を向上することが可能となる。
【０１２３】
（変形例６）前記実施形態において、位置検出部４００を構成するフロント位置検出部４１０およびリア位置検出部４２０は、ミラー保持筐体１０５を構成する左側面ケース１７０に構成されている。また、固定部２００を構成するフロント用固定部２１０のフロント固定用凹部２１１およびリア用固定部２２０のリア固定用凹部２２１も左側面ケース１７０に構成されている。そして、固定部２００を構成する固定用ユニット２３０は、プロジェクタ本体２のプロジェクタ筐体１０に構成されている。しかし、これに限らず、位置検出部４００をプロジェクタ筐体１０に構成し、固定部２００を構成するフロント固定用凹部２１１およびリア固定用凹部２２１もプロジェクタ筐体１０に構成し、そして、固定部２００を構成する固定用ユニット２３０を左側面ケース１７０に構成しても良い。機構設計や回路設計のし易さにより配置関係を適宜決めることができる。
【０１２４】
（変形例７）前記実施形態において、リア投写時においては、リア位置検出部４２０の検出信号により、映像方向をフロント投写時とは切替えて投写させている。しかし、リア投写時の投影面としてのスクリーン５００が透過可能なスクリーンであり、投写された映像を透過させて観る場合においては、映像方向を切替えずにフロント投写時の映像を投写させることで良い。
【０１２５】
この場合、プロジェクタ本体２での初期設定で、リア位置検出部４２０での検出信号に対する映像の向きの切替えをフロント投写時と同様に設定するなどの方法や、リア投写時にリモコン５１０からの入力信号により適正に切替えるなどの方法で可能となる。これにより、スクリーン５００として、反射タイプのみならず透過タイプも使用できプロジェクタ１の利便性が向上する。なお、フロント投写時に透過タイプのスクリーン５００を使用する場合には、上述した方法と逆の操作を同様に行うことで実現する。
【０１２６】
（変形例８）前記実施形態において、ミラー機構部１００は、リア投写を実現させることを主に構成されている。しかし、これに限らず、リア投写を実現させることと併せて、プロジェクタ１を携帯する場合の保護ケースとして使用することでも良い。この場合、ミラー機構部１００の外装となるミラー保持筐体１０５を硬質プラスチック材料やアルミニウム合金などの金属材料を有して構成することにより、落下などの外的衝撃からプロジェクタ１を保護することが可能と成り、プロジェクタ１の利便性が向上する。
【０１２７】
（変形例９）前記実施形態において、移動部３００、固定部２００および位置検出部４００は、左側面ケース１７０および右側面ケース１６０に構成されている。しかし、これに限らず、下側面ケース１８０に形成しても良い。これにより、左側面ケース１７０および右側面ケース１６０を無くすこともでき、プロジェクタ本体２の外形形状の自由度が拡大する。
【０１２８】
（変形例１０）前記実施形態において、発光源にＬＥＤ光源５２を用いて、白色光（すべての色の光を含む）を発光させている。しかし、これに限らず、３種類のＬＥＤ光源を用いて、それぞれのＬＥＤ光源が、赤色・緑色・青色を個別に発光させる構成としても良い。これにより、プロジェクタの投写光の輝度などを向上させることができる。
【０１２９】
（変形例１１）前記実施形態において、光学系は、発光源に１つのＬＥＤ光源５２を有し、変換部５５には１つの液晶ライトバルブ５６を有して構成されている。しかし、これに限らず、発光源には、赤色・緑色・青色を個別に発光させる３種類のＬＥＤ光源を有し、３種類のＬＥＤ光源の発光に対応させて、変換部には３つの液晶ライトバルブ（赤色・緑色・青色を用いるいわゆる３板式）を有して光学系を構成しても良い。これにより、プロジェクタの投写光の輝度などを向上させることができる。
【０１３０】
（変形例１２）前記実施形態において、発光源にＬＥＤ光源５２を用いて、白色光（すべての色の光を含む）を発光させている。しかし、これに限らず、ＵＨＥ（超高圧水銀灯）ランプなどのランプを光源として用いることでも良い。これにより、プロジェクタ１の投写光の輝度などを向上することができる。
【０１３１】
（変形例１３）前記実施形態において、位置検出部４００の構成、移動部３００の構成および固定部２００の構成などは、前記実施形態に限定されるものではなく、発明の要旨を変更しない範囲で適宜変更や改良を行っても良い。
【０１３２】
（変形例１４）前記実施形態でのプロジェクタ１は、透過型液晶方式のプロジェクタである。しかし、これに限らず、ＤＬＰ（登録商標）（Digital Light Processing）方式、および、反射型液晶方式であるＬＣＯＳ（Liquid Crystal On Silicon）方式などを採用したプロジェクタであっても良い。
【図面の簡単な説明】
【０１３３】
【図１】本発明の実施形態に係るプロジェクタの概略斜視図であり、図１（ａ）は、フロント投写の状態での斜視図であり、図１（ｂ）は、リア投写の状態での斜視図である。
【図２】フロント投写時のプロジェクタの概略側面図、および、固定部と移動部と位置検出部との断面図であり、図２（ａ）は、プロジェクタの概略側面図であり、図２（ｂ）は、固定部および位置検出部の断面図であり、図２（ｃ）は、移動部の断面図である。
【図３】リア投写時のプロジェクタの概略側面図、および、移動部の斜視図であり、図３（ａ）は、プロジェクタの概略側面図であり、図３（ｂ）は、移動部を構成するリア回動部をプロジェクタ本体側から見た斜視図である。
【図４】図３（ａ）に示すＥ−Ｅ断面図である。
【図５】ミラー回動部を示す斜視図である。
【図６】プロジェクタの回路ブロック図である。
【符号の説明】
【０１３４】
１…プロジェクタ、２…プロジェクタ本体、１０…プロジェクタ筐体、２０…回路ユニット、３３…映像方向切替部としての画像処理部、３４…ＬＣＤ駆動部、３８…位置判断部としての制御部、３９…ＬＥＤ制御部、５０…光学構成部、５９…投写レンズ、６０…投写レンズユニット、１００…ミラー機構部、１０５…ミラー保持筐体、１１０…ミラー保持ケース、１２０…ミラー、１３０…ミラー回動部、１３２…ミラー回動ユニット、１３３…ミラー保持ケース固定用シャフト、１３４…前面ケース固定用ブラケット、１３４ａ…ブラケット胴部、１３４ｂ…ブラケットフラット部、１３５…回動軸、１４０…前面ケース、１４２…前面ケースの肩、１５０…下面ケース、１６０…右側面ケース、１７０…左側面ケース、２００…固定部、２１０…フロント用固定部、２１１…フロント固定用凹部、２２０…リア用固定部、２２１…リア固定用凹部、２３０…固定用ユニット、２３５…固定用凸部、３００…移動部、３１０…スライド部、３１２…スライド用溝、３１３…スライド用溝端部、３１５…スライド用突起、３３０…リア用回動部、３３２…リア用回動ユニット、３３３…回動シャフト、３３４…回動ユニットケース、３３５…回動軸、３３７…リア回動逃げ溝、３３８…スライド突起用溝、３３８ａ…スライド用突起受面、４００…位置検出部、４１０…フロント位置検出部、４１１…マイクロスイッチ、４２０…リア位置検出部、４２１…マイクロスイッチ、５００…スクリーン、５１０…リモコン、６００…机上面。
【図１】
2006259252.tif 000003
【図２】
2006259252.tif 000004
【図３】
2006259252.tif 000005
【図４】
2006259252.tif 000006
【図５】
2006259252.tif 000007
【図６】
2006259252.tif 000008